(57)【特許請求の範囲】
【請求項１】
データを表示する表示手段と、
前記表示手段によりデータが表示されたことに基づいて、当該データの表示の自動スクロールを開始させるスクロール開始手段と、
前記スクロール開始手段により自動スクロールが開始されたことに基づいて、前記表示手段による表示の明るさを第１の明るさによる点灯から消灯に段階的に切り替えていく明るさ調整手段と、
を備えたことを特徴とする携帯電話機。
【請求項２】
前記明るさ調整手段により、前記表示手段による表示が消灯状態になったとき、前記スクロール開始手段により開始されたデータの表示の自動スクロールを停止させるスクロール停止手段を備えたことを特徴とする請求項１記載の携帯電話機。
【請求項３】
データを表示する表示手段と、
前記表示手段によりデータが表示されたことに基づいて、当該データの表示の明るさを第１の明るさから前記第１の明るさより低い第２の明るさに段階的に切り替えていく明るさ調整手段と、
所定キーの入力に基づいて、前記表示手段により表示されたデータの自動スクロールを開始させるスクロール開始手段と、を備え、
前記明るさ調整手段は、前記スクロール開始手段により自動スクロールが開始されたことに基づいて、データを表示する明るさを前記第１の明るさから前記第２の明るさに段階的に切り替えていくことを特徴とする携帯電話機。
【請求項４】
データを表示する表示手段と、
前記表示手段によりデータが表示されたことに基づいて、当該データの表示の明るさを第１の明るさから前記第１の明るさよりも低い第２の明るさに段階的に切り替えていく明るさ調整手段と、
所定キーの入力に基づいて、前記表示手段により表示されたデータのスクロールを開始させるスクロール開始手段と、を備え、
前記明るさ調整手段は、前記スクロール開始手段により自動スクロールが開始されたことに基づいて、データを表示する明るさを前記第２の明るさにすることを特徴とする携帯電話機。
【請求項５】
データを表示する表示手段と、
前記表示手段によりデータが表示されたことに基づいて、自動スクロールを開始させるスクロール開始手段と、
前記スクロール開始手段によりデータの自動スクロールが開始されたことに基づいて、前記表示手段により表示されたデータの表示の明るさを第１の明るさから第１の明るさより低い第２の明るさに段階的に切り替えていく明るさ調整手段と、
所定キーの入力に基づいて、前記表示手段により表示されたデータの自動スクロールを停止させるスクロール停止手段と、を備え、
前記明るさ調整手段は、前記スクロール停止手段によりデータの自動スクロールが停止されたことに基づいて、前記表示手段により表示されたデータの表示の明るさを前記第１の明るさから前記第２の明るさに段階的に切り替えていくことを特徴とする携帯電話機。
【請求項６】
データを表示する表示手段と、
前記表示手段によりデータが表示されたことに基づいて、当該データを自動スクロールを開始させるスクロール開始手段と、
前記スクロール手段によりデータの自動スクロールが開始されたことに基づいて、前記表示手段により表示されたデータの表示の明るさを第１の明るさから前記第１の明るさより低い第２の明るさに段階的に切り替えていく明るさ調整手段と、
所定キーの入力に基づいて、前記表示手段により表示されたデータの自動スクロールを停止させるスクロール停止手段と、を備え、
前記明るさ調整手段は、前記スクロール停止手段によりデータの自動スクロールが停止されたことに基づいて、前記表示手段により表示されたデータの表示の明るさを前記第２の明るさにすることを特徴とする携帯電話機。
【発明の詳細な説明】
【技術分野】
【０００１】
本発明は、Ｗｅｂ閲覧やメール閲覧の際に、画面スクロールを制御したりディスプレイの明るさを調整したりする携帯電話機に関する。
【背景技術】
【０００２】
近年、携帯電話機の機能性が向上し、ユーザは携帯電話機を用いてＷｅｂ閲覧やゲーム等の様々な機能を使用するようになってきた。このように携帯電話機において通話機能のみならず、Ｗｅｂ閲覧やメール閲覧をはじめとするデータ処理機能に利用範囲が拡大されるにつれて、ディスプレイへの表示内容が増えたため、画面スクロール等の操作性に優れた表示方法が求められている。
【０００３】
そこで、大容量コンテンツを表示する際のスクロールの操作性を向上させた通信端末が提案されている（特許文献１参照）。この通信端末は、スクロールキーが長押しされると自動スクロールを実行し、さらに長押しが継続されると自動スクロールの速度を上げるとともに、この長押しの継続時間に応じてスクロール速度を大きくしていくことにより、スクロールの操作性を向上させたものである。
【特許文献１】特開２００３−１６２３５６号公報
【発明の開示】
【発明が解決しようとする課題】
【０００４】
また昨今、携帯電話機のディスプレイとして有機ＥＬパネルが使用されるようになり、より画面を高輝度に表示できるようになった。しかしながら、有機ＥＬパネルを使用した携帯電話機は、輝度を上げれば上げるほど（多く電流を流せば流すほど）有機ＥＬパネルの劣化が進行してしまうという問題を抱えている。よって、携帯電話機において表示画面のスクロールが頻繁に行われると、操作キーが押されたり表示画面がスクロールされたりするたびにディスプレイの明るさが最も明るい状態（輝度が高い状態）に設定されるように設計されているため、有機ＥＬパネルの劣化が激しいという問題があった。
【０００５】
これに対して、操作キーが押下されてもディスプレイを微灯（輝度の低い状態）のままにするような設定を準備することで有機ＥＬパネルの劣化を抑えることは可能であるが、この場合、ディスプレイを明るく表示させたいときに再び設定を切り替える手間が生じてしまう。
【０００６】
本発明は、上記課題を鑑みなされてものであり、有機ＥＬパネルをディスプレイとして用いるとともに、この有機ＥＬパネルの劣化を軽減することができる携帯電話機を提供することを目的とする。
【０００７】
また、本発明は、有機ＥＬパネルをディスプレイとして用いるとともに、この有機ＥＬパネルを満遍なく劣化されることにより、有機ＥＬパネルによる表示画面にムラが発生するのを防止することができる携帯電話機を提供することを目的とする。
【課題を解決するための手段】
【０００８】
上記課題を解決するために、本発明に係る携帯電話機は、データを表示する表示手段と、前記表示手段によりデータが表示されたことに基づいて、当該データの表示の自動スクロールを開始させるスクロール開始手段と、前記スクロール開始手段により自動スクロールが開始されたことに基づいて、前記表示手段による表示の明るさを第１の明るさによる点灯から消灯に段階的に切り替えていく明るさ調整手段と、を備えたことを特徴とする。
【発明の効果】
【０００９】
本発明に係る携帯電話機によると、有機ＥＬパネルをディスプレイとして用いるとともに、Ｗｅｂ閲覧時やメール閲覧時にディスプレイの明るさを調整することにより、この有機ＥＬパネルの劣化を軽減することが可能となる。
【００１０】
また、本発明に係る携帯電話機によると、有機ＥＬパネルをディスプレイとして用いるとともに、Ｗｅｂ閲覧時やメール閲覧時にディスプレイの表示画面を自動スクロールさせてこの有機ＥＬパネルを満遍なく劣化されることにより、有機ＥＬパネルの表示画面にムラが発生するのを防止することが可能となる。
【発明を実施するための最良の形態】
【００１１】
〔第１実施形態〕
本発明に係る携帯電話機の第１実施形態について、図１乃至図６を参照しながら説明する。第１実施形態の携帯電話機として、複数の筐体が開閉自在に結合されてなるクラムシェル型の携帯電話機１を例に挙げて説明する。
【００１２】
図１（Ａ）は、携帯電話機１の開いた状態を示す正面図、図１（Ｂ）は、本発明に係る携帯電話機１の開いた状態を示す側面図、図２（Ａ）は、携帯電話機１の閉じた状態を示す正面図、図２（Ｂ）は、携帯電話機１の閉じた状態を示す側面図である。
【００１３】
携帯電話機１は、図１及び図２に示すように、主に、矩形の板状の上筐体１０と、この上筐体１０とほぼ同形状をした下筐体１１とにより構成されていて、これらの上筐体１０及び下筐体１１は、閉状態において相互に一面を覆うように積層されている。上筐体１０及び下筐体１１は、ヒンジ部１２を挟むようにヒンジ結合されていて、上筐体１０は下筐体１１に対して、ヒンジ部１２を軸にして、図１のＸ方向に所定角度だけ回転自在なように形成されている。携帯電話機１は、上筐体１０を下筐体１１に対して回転させることにより、閉じた状態から開いた状態に、あるいは開いた状態から閉状態状態に変形する。
【００１４】
上筐体１０の内面（下筐体１１に対面する側の面）には、文字や画像等を含んだ表示情報を表示するためのディスプレイ１３が設けられている。ディスプレイ１３は、例えば有機ＥＬ（Ｅｌｅｃｔｒｏ−Ｌｕｍｉｎｅｓｃｅｎｃｅ）パネルで形成されている。有機ＥＬパネルは、有機化合物中に注入された電子と正孔の再結合によって生じた励起子（エキシトン）によって発光する現象を利用した表示パネルである。このディスプレイ１３は、携帯電話機１が閉じた状態のときには、下筐体１１により覆われていて外部に露出していないが、上筐体１０を下筐体１１に対して回転させて開いた状態に変形させたときには外部に露出される。
【００１５】
上筐体１０の外面（下筐体１１と対面しない側の面）には、音声を出力するスピーカ１４が設けられていて、このスピーカ１４は、携帯電話機１の開閉状態によらずに常に外部に露出している。
【００１６】
下筐体１１の内面（上筐体１０に対面する側の面）には、例えば、電源のＯＮ／ＯＦＦを切り替えるための電源キーや発呼処理を行うための発呼キー、数字や文字を入力するためのテンキー等からなる操作キー１５が設けられている。また下筐体１１の内面には、音声を集音するためのマイクロフォン１６が設けられている。これらの操作キー１５及びマイクロフォン１６は、携帯電話機１が閉じた状態のときには、上筐体１０により覆われていて外部に露出していないが、上筐体１０を下筐体１１に対して回転させて開いた状態に変形させたときには外部に露出される。
【００１７】
次に、携帯電話機１の機能について、図４に示す機能ブロック図を用いて説明する。携帯電話機１は、図４に示すように、主制御部２０、電源回路部２１、操作入力制御部２２、表示制御部２３、音声制御部２４、通信制御部２５、及び記憶部２６がバスによって相互に通信可能に接続されて構成されている。
【００１８】
主制御部２０は、ＣＰＵ（Ｃｅｎｔｒａｌ  Ｐｒｏｃｅｓｓｉｎｇ  Ｕｎｉｔ）を具備し、携帯電話機１の総括的な制御を行うとともに、操作キー１５の入力制御処理や、その他の様々な演算処理や制御処理等を行う。電源回路部２１は、例えばユーザによる操作キー１５を介した入力に基づいて電源のＯＮ／ＯＦＦ状態を切り替え、電源がオン状態の場合に電力供給源（バッテリ等）から各部に対して電力を供給して、携帯電話機１を動作可能にする。
【００１９】
操作入力制御部２２は操作キー１５に対する入力インタフェースを備えている。この操作入力制御部２２は、操作キー１５の押下を検出すると、その押下された操作キー１５を示す信号を生成して主制御部２０に伝送する。表示制御部２３はディスプレイ１３に対する表示インタフェースを備え、主制御部２０の制御に基づいて、文書や画像等を含んだ表示情報をディスプレイ１３に表示する。
【００２０】
音声制御部２４は、主制御部２０の制御に基づいて、マイクロフォン１６で集音された音声からアナログ音声信号を生成し、このアナログ音声信号をデジタル音声信号に変換する。また音声制御部２４は、デジタル音声信号を取得すると、主制御部２０の制御に基づいて、このデジタル音声信号をアナログ音声信号に変換し、スピーカ１４から音声として出力する。
【００２１】
通信制御部２５は、主制御部２０の制御に基づいて、基地局（図示せず）からアンテナ２５ａを介して受信した受信信号をスペクトラム逆拡散処理してデータを復元する。このデータは、主制御部２０の指示により、音声制御部２４に伝送されてスピーカ１４から出力されたり、表示制御部２３に伝送されてディスプレイ１３に表示されたり、または記憶部２６に記録されたりする。また通信制御部２５は、主制御部２０の制御に基づいて、マイクロフォン１６で集音された音声データや操作キー１５を介して入力されたデータや記憶部２６に記憶されたデータを取得すると、これらのデータに対してスペクトラム拡散処理を行い、基地局に対してアンテナ２５ａを介して送信する。
【００２２】
記憶部２６は、主制御部２０が行う処理について、処理プログラムや処理に必要なデータ等を格納するＲＯＭ（Ｒｅａｄ  Ｏｎｌｙ  Ｍｅｍｏｒｙ）やハードディスク、不揮発性メモリ、主制御部２０が処理を行う際に使用されるデータを一時的に記憶するＲＡＭ（Ｒａｎｄｏｍ  Ａｃｃｅｓｓ  Ｍｅｍｏｒｙ）等から構成される。また、主制御部２０が後述する明るさ調整処理を行う際の処理プログラムは、例えばＲＯＭに記憶されているものとする。
【００２３】
従来の携帯電話機においてＷｅｂ閲覧やメール閲覧を行う際、表示情報が多い場合に、ディスプレイに表示情報を全て表示しきれないため、操作キー１５の押下に基づいて表示画面をスクロールさせる機能を備えている。よってユーザはＷｅｂ閲覧やメール閲覧の際に頻繁に操作キーを押下して表示画面をスクロールさせる必要があった。このとき、操作キーを押下したことに基づいて、ディスプレイの明るさが最も明るい状態（全点灯）になってしまっていた。
【００２４】
また、携帯電話機のディスプレイとして有機ＥＬパネルが使用された場合、より画面を高輝度に表示できるが、一方で、輝度を上げれば上げるほど有機ＥＬパネルの劣化が進んでしまうという問題を抱えている。よって、携帯電話機において表示画面のスクロールが頻繁に行われると、操作キーが押されたり表示画面がスクロールされたりするたびにディスプレイの明るさが最も明るい状態（輝度が高い状態）に設定されるため、有機ＥＬパネルの劣化が激しいという問題があった。
【００２５】
そこで、第１実施形態の携帯電話機１は、表示画面のスクロールを継続的に行う自動スクロール機能を備えるとともに、Ｗｅｂ閲覧やメール閲覧の際にこの自動スクロールを制御したりやディスプレイ１３の明るさを調整したりする明るさ調整処理を行うことで、頻繁にディスプレイ１３の明るさが最も高い輝度に設定されてしまうことを防止するとともに、ディスプレイ１３が部分的に劣化して表示画面にムラが生じてしまうことを防止している。
【００２６】
携帯電話機１の記憶部２６は、ディスプレイ１３の明るさを調整するための明るさ設定情報３０を記憶している。明るさ設定情報３０は、図４（Ａ）に示すように、処理の状態を示す状態情報３１に対して、ディスプレイ１３の明るさを示す明るさ情報３２がそれぞれ対応付けられた情報である。ここでは、ディスプレイ１３の明るさとして、例えば明るさ３（全点灯）、明るさ２、明るさ１（微灯）、明るさ０（消灯）の４段階に調整できるものとする。
【００２７】
明るさ設定情報３０において、例えば図４（Ａ）によると、状態情報３１の「Ｗｅｂ閲覧開始時」に対して、明るさ情報３２の「明るさ３→明るさ２→明るさ０」が対応付けられている。これは、Ｗｅｂ閲覧の開始時（Ｗｅｂブラウザの起動時）に、所定時間の経過ごとにディスプレイ１３の明るさを、明るさ３、明るさ２、明るさ０の順に切り替えることを意味する。また、状態情報３１の「Ｗｅｂ閲覧中所定キー押下時」に対して、明るさ情報３２の「明るさ０」が対応付けられている。これは、Ｗｅｂ閲覧中に所定の操作キー１５（例えば下キー等）が押下されたときであっても、ディスプレイ１３の明るさを明るさ０（消灯）に設定する（又はディスプレイ１３を点灯させないように制御する）ことを意味する。同様に、状態情報３１の「スクロール開始時」に明るさ情報３２の「明るさ３→明るさ２→明るさ０」が、状態情報３１の「スクロール時」に明るさ情報３２の「明るさ０」が、状態情報３１の「スクロール終了時」に明るさ情報３２の「明るさ０」がそれぞれ対応付けられている。
【００２８】
また携帯電話機１の記憶部２６は、自動スクロールを行うためのスクロール設定情報３３を記憶している。スクロール設定情報３３は、図４（Ｂ）に示すように、処理の状態を示す状態情報３４に対して、自動スクロールのＯＮ／ＯＦＦ状態を示すスクロール情報３５と、自動スクロールの速度を示すスクロール速度情報３６とがそれぞれ対応付けられた情報である。
【００２９】
スクロール設定情報３３において、例えば図４（Ｂ）によると、状態情報３４の「Ｗｅｂ閲覧開始時」に対して、スクロール情報３５の「開始」、スクロール速度情報３６の「中速」がそれぞれ対応付けられている。これは、Ｗｅｂ閲覧の開始時（Ｗｅｂブラウザの起動時）に、表示画面の自動スクロールを中速で開始することを意味する。また、状態情報３４の「Ｗｅｂ閲覧中所定キー押下時」に対して、スクロール情報３５の「ＯＦＦ」が対応付けられている。これは、Ｗｅｂ閲覧中に所定の操作キー１５が押下されたときに、自動スクロールを行わないことを意味する。
【００３０】
携帯電話機１は、明るさ設定情報３０を設定するための明るさ設定画面４０、またはスクロール設定情報３３を設定するためのスクロール設定画面４３をディスプレイ１３に表示する。そして、ユーザがこれらの設定画面に基づいて操作キー１５を用いて入力することにより、明るさ設定情報３０及びスクロール設定情報３３が設定されて記憶部２６に記憶される。
【００３１】
明るさ設定画面４０は、例えば図５（Ａ）に示すように、「Ｗｅｂ閲覧開始時」等の各々の処理の状態に対して入力欄４１を備えている。ユーザが各々の入力欄４１にそれぞれ明るさを入力し、これらの入力された情報が明るさ設定情報３０として設定され、記憶部２６に記憶される。これらの入力の際、ディスプレイ１３に明るさの選択肢が表示され、ユーザがこれらの選択肢から操作キー１５を介して選択することにより明るさが入力されるようにしても良い。
【００３２】
スクロール設定画面４３は、例えば図５（Ｂ）に示すように、「Ｗｅｂ閲覧開始時」等の各々の処理の状態に対して、自動スクロールのＯＮ／ＯＦＦ状態を入力するための入力欄４４、自動スクロールの速さを入力するための入力欄４５をそれぞれ備えている。ユーザが各々の入力欄４４、４５に自動スクロールのＯＮ／ＯＦＦ状態、自動スクロールの速さを入力し、これらの入力された情報がスクロール設定情報３３として設定され、記憶部２６に記憶される。これらの入力の際、自動スクロールのＯＮ／ＯＦＦ状態や自動スクロールの速さの選択肢が表示され、ユーザがこれらの選択肢から操作キー１５を介して選択することにより自動スクロールのＯＮ／ＯＦＦ状態や自動スクロールの速さが入力されるようにしても良い。
【００３３】
第１実施形態の携帯電話機１は、Ｗｅｂ閲覧やメール閲覧の際、記憶部２６に記憶されている明るさ設定情報３０やスクロール設定情報３３に基づいて、ディスプレイ１３の表示画面の自動スクロールを制御したりディスプレイ１３の明るさを調整したりする明るさ調整処理を行う。第１実施形態の携帯電話機１が、この明るさ調整処理を行う手順について、図６に示すフローチャートに基づいて説明する。ここでは、ユーザによりＷｅｂ閲覧が指示された場合について説明する。以下、例えば「ステップＳ１０１」を「Ｓ１０１」のように、「ステップ」の語句を省略して説明する。
【００３４】
ユーザは、Ｗｅｂ閲覧を行う際に、操作キー１５を用いて携帯電話機１にＷｅｂブラウザを起動するように指示を出す。主制御部２０は、Ｗｅｂブラウザが起動されたか否かを判断する（Ｓ１０１）。Ｗｅｂブラウザが起動されていない場合（Ｓ１０１のＮｏ）は、主制御部２０はそのまま待機する。Ｗｅｂブラウザが起動された場合（Ｓ１０１のＹｅｓ）は、主制御部２０は、明るさ設定情報３０に基づいて、ディスプレイ１３の明るさを明るさ３（全点灯）に設定する（Ｓ１０３）。すなわち、明るさ設定情報３０において「Ｗｅｂ閲覧開始時」に「明るさ３→明るさ２→明るさ０」の明るさに調整するよう設定されているので、Ｗｅｂブラウザが起動された際に、ディスプレイ１３の明るさを明るさ３に設定する。
【００３５】
主制御部２０は、ディスプレイ１３にＷｅｂページを表示する（Ｓ１０５）。このＷｅｂページは、予め設定されたＷｅｂサイトやユーザにより指定されたＷｅｂサイトである。そして主制御部２０は、スクロール設定情報３３に基づいて、表示画面の自動スクロールを開始する（Ｓ１０７）。すなわち、スクロール設定情報３３において「Ｗｅｂ閲覧開始時」に自動スクロールが「開始」に設定されているので、Ｗｅｂブラウザが起動された際に、表示画面の自動スクロールを開始する。
【００３６】
主制御部２０は、Ｗｅｂブラウザが起動されてから所定時間（例えば５秒）が経過したか否かを判断する（Ｓ１０９）。この所定時間は、例えばユーザにより予め指定されて記憶部２６に記憶されている。所定時間が経過していない場合（Ｓ１０９のＮｏ）は、主制御部２０は所定時間が経過するまで待機する。
【００３７】
所定時間が経過した場合（Ｓ１０９のＹｅｓ）は、主制御部２０は、明るさ設定情報３０に基づいて、ディスプレイ１３の明るさを調整する（Ｓ１１１）。すなわち、明るさ設定情報３０において「Ｗｅｂ閲覧開始時」に「明るさ３→明るさ２→明るさ０」の明るさに調整するよう設定されているので、明るさ３に設定してから所定時間が経過した際に、ディスプレイ１３の明るさを明るさ２に設定する。
【００３８】
主制御部２０は、明るさ設定情報３０に基づいてディスプレイ１３がＯＦＦになったか否かを判断する（Ｓ１１３）。この際、ステップＳ１１１にてディスプレイ１３の明るさが明るさ０（消灯）に調整された場合に、ディスプレイ１３がＯＦＦになったものと判断する。ディスプレイ１３がＯＦＦになっていない場合（Ｓ１１３のＮｏ）は、ステップＳ１０９に戻って、主制御部２０はディスプレイ１３の明るさを調整する。すなわち、明るさ設定情報３０において「Ｗｅｂ閲覧開始時」に「明るさ３→明るさ２→明るさ０」の明るさに調整するよう設定されているので、明るさ２に設定してから所定時間が経過した際に、ディスプレイ１３の明るさを明るさ０（消灯）に設定する。
【００３９】
ディスプレイ１３がＯＦＦになった場合（Ｓ１１３のＹｅｓ）は、主制御部２０は、ステップＳ１０７にて開始された自動スクロールを停止する（Ｓ１１５）。これにより、ディスプレイ１３がＯＦＦになった状態でディスプレイ１３の表示画面がスクロールされてしまうことにより、ユーザが表示内容を見逃してしまうことが防止される。
【００４０】
このようにして携帯電話機１は、Ｗｅｂ閲覧やメール閲覧を行う際に、Ｗｅｂブラウザが起動されたことに基づいてディスプレイ１３の表示画面の自動スクロールを開始するとともに、ディスプレイ１３の明るさを全点灯から消灯に段階的に切り替えていき、自動スクロールが終了したことに基づいてディスプレイ１３をＯＦＦにする。これにより、Ｗｅｂ閲覧時やメール閲覧時に、ユーザが何度も操作キー１５を用いて自動スクロールを指示することによりディスプレイ１３の明るさが頻繁に最も明るい状態（全点灯）に設定されることが回避され、ディスプレイ１３の微灯状態を保つことが可能となる。
【００４１】
また、携帯電話機１は、ディスプレイ１３の表示画面を自動スクロールしているときにディスプレイ１３がＯＦＦになったことに基づいて、この自動スクロールを停止する。これにより、ユーザがディスプレイ１３の表示内容を確認できない状態で表示画面がスクロールされてしまうことが防止される。
【００４２】
また、携帯電話機１は、ユーザが明るさ設定情報３０やスクロール設定情報４０を入力するための設定画面を表示し、入力された情報に基づいて明るさ設定情報３０やスクロール設定情報４０を設定する。これにより、ユーザはディスプレイ１３の画面スクロールや明るさ調整を、所望の制御方法になるように設定することができる。
【００４３】
第１実施形態によると、有機ＥＬパネルをディスプレイ１３として用いるとともに、Ｗｅｂ閲覧やメール閲覧の際にディスプレイ１３の明るさを調整することにより、この有機ＥＬパネルの劣化を軽減することが可能となる。
【００４４】
また、第１実施形態によると、有機ＥＬパネルをディスプレイ１３として用いるとともに、Ｗｅｂ閲覧やメール閲覧の際にディスプレイ１３の表示画面を自動スクロールさせて、この有機ＥＬパネルを満遍なく劣化されることにより、有機ＥＬパネルによる表示画面にムラが発生するのを防止することが可能となる。
【００４５】
〔第２実施形態〕
本発明に係る携帯電話機の第２実施形態について、図７及び図８を参照しながら説明する。第２実施形態の携帯電話機は、図１及び図２に示すように、第１実施形態の携帯電話機１と同一の構成を備えている。また第２実施形態の携帯電話機１は、図４に示すように、主制御部２０、電源回路部２１、操作入力制御部２２、表示制御部２３、音声制御部２４、通信制御部２５、及び記憶部２６がバスによって相互に通信可能に接続されて構成されている。
【００４６】
第２実施形態の記憶部２６は、第１実施形態と同様に、ディスプレイ１３の明るさを調整するための明るさ設定情報３０Ａを記憶している。明るさ設定情報３０Ａは、図７（Ａ）に示すように、状態情報３１の「Ｗｅｂ閲覧開始時」に対して、明るさ情報３２の「明るさ３→明るさ２→明るさ１」が対応付けられている。これは、Ｗｅｂ閲覧の開始時（Ｗｅｂブラウザの起動時）に、所定時間の経過ごとにディスプレイ１３の明るさを、明るさ３、明るさ２、明るさ１の順に切り替えることを意味する。また、状態情報３１の「Ｗｅｂ閲覧中所定キー押下時」に対して、明るさ情報３２の「明るさ１」が対応付けられている。これは、Ｗｅｂ閲覧中に所定の操作キー１５（例えば下キー等）が押下されたときに、ディスプレイ１３の明るさを明るさ１（微灯）に設定することを意味する。同様に、状態情報３１の「スクロール開始時」に明るさ情報３２の「明るさ１→明るさ２→明るさ３」が、状態情報３１の「スクロール時」に明るさ情報３２の「明るさ１」が、状態情報３１の「スクロール終了時」に明るさ情報３２の「明るさ１」がそれぞれ対応付けられている。
【００４７】
また第２実施形態の記憶部２６は、自動スクロールを行うためのスクロール設定情報３３Ａを記憶している。スクロール設定情報３３Ａは、例えば図７（Ｂ）によると、状態情報３４の「Ｗｅｂ閲覧開始時」に対して、スクロール情報３５の「ＯＦＦ」が対応付けられている。これは、Ｗｅｂ閲覧の開始時（Ｗｅｂブラウザの起動時）に、表示画面の自動スクロールを行わないことを意味する。また、状態情報３４の「Ｗｅｂ閲覧中所定キー押下時」に対して、スクロール情報３５の「開始」、スクロール速度情報３６の「中速」がそれぞれ対応付けられている。これは、Ｗｅｂ閲覧中に所定の操作キー１５が押下されたときに、表示画面の自動スクロールを中速で開始することを意味する。
【００４８】
第２実施形態の携帯電話機１が、明るさ設定情報３０Ａやスクロール設定情報３３Ａを用いて、Ｗｅｂ閲覧時やメール閲覧時等に明るさ調整処理を行う手順について、図８に示すフローチャートに基づいて説明する。ここでは、ユーザによりＷｅｂ閲覧が指示された場合について説明する。
【００４９】
ユーザは、Ｗｅｂ閲覧を行う際に、操作キー１５を用いて携帯電話機１にＷｅｂブラウザを起動するように指示を出す。主制御部２０は、Ｗｅｂブラウザが起動されたか否かを判断する（Ｓ２０１）。Ｗｅｂブラウザが起動されていない場合（Ｓ２０１のＮｏ）は、主制御部２０はそのまま待機する。Ｗｅｂブラウザが起動された場合（Ｓ２０１のＹｅｓ）は、主制御部２０は、明るさ設定情報３０Ａに基づいて、ディスプレイ１３の明るさを明るさ３（全点灯）に設定する（Ｓ２０３）。すなわち、明るさ設定情報３０Ａにおいて「Ｗｅｂ閲覧開始時」に「明るさ３→明るさ２→明るさ１」の明るさに調整するよう設定されているので、Ｗｅｂブラウザが起動された際に、ディスプレイ１３の明るさを明るさ３に設定する。
【００５０】
主制御部２０は、ディスプレイ１３にＷｅｂページを表示する（Ｓ２０５）。このＷｅｂページは、予め設定されたＷｅｂサイトやユーザにより指定されたＷｅｂサイトである。また、スクロール設定情報３３Ａによると、「Ｗｅｂ閲覧開始時」の自動スクロールが「ＯＦＦ」に設定されていることに基づいて、主制御部２０はＷｅｂページを表示した際に、自動スクロールを開始しない。
【００５１】
主制御部２０は、Ｗｅｂブラウザが起動されてから所定時間（例えば５秒）が経過したか否かを判断する（Ｓ２０７）。この所定時間は、例えばユーザにより予め指定されて記憶部２６に記憶されている。所定時間が経過していない場合（Ｓ２０７のＮｏ）は、主制御部２０は所定時間が経過するまで待機する。
【００５２】
所定時間が経過した場合（Ｓ２０７のＹｅｓ）は、主制御部２０は、明るさ設定情報３０Ａに基づいて、ディスプレイ１３の明るさを調整する（Ｓ２０９）。すなわち、明るさ設定情報３０Ａにおいて「Ｗｅｂ閲覧開始時」に「明るさ３→明るさ２→明るさ１」の明るさに調整するよう設定されているので、明るさ３に設定してから所定時間が経過した際に、ディスプレイ１３の明るさを明るさ２に設定する。
【００５３】
また同様に、明るさ設定情報３０Ａにおいて「Ｗｅｂ閲覧開始時」に「明るさ３→明るさ２→明るさ１」の明るさに調整するよう設定されているので、明るさ２に設定してから所定時間が経過した際に、ディスプレイ１３の明るさを明るさ１に設定する。
【００５４】
ユーザは、ディスプレイ１３の表示画面を自動スクロールさせたい場合に、所定の操作キー１５を押下することにより、携帯電話機１に表示画面の自動スクロールを指示する。よって主制御部２０は、所定の操作キー１５が押下されたか否かを判断する（Ｓ２１１）。所定の操作キー１５が押下されていない場合（Ｓ２１１のＮｏ）は、主制御部２０はステップＳ２０７に戻ってディスプレイ１３の明るさを調整する。
【００５５】
所定の操作キー１５が押下された場合（Ｓ２１１のＹｅｓ）は、主制御部２０は、明るさ設定情報３０Ａに基づいて、ディスプレイ１３の明るさを明るさ３（全点灯）に設定する（Ｓ２１３）。すなわち、明るさ設定情報３０Ａにおいて「スクロール開始時」に「明るさ３→明るさ２→明るさ１」の明るさに調整するよう設定されているので、自動スクロールが開始された際に、ディスプレイ１３の明るさを明るさ３に設定する。
【００５６】
主制御部２０は、ディスプレイ１３の表示画面の自動スクロールを開始する（Ｓ２１５）。また主制御部２０は、表示画面の自動スクロールを開始してから所定時間（例えば５秒）が経過したか否かを判断する（Ｓ２１７）。この所定時間は、例えばユーザにより予め指定されて記憶部２６に記憶されている。所定時間が経過していない場合（Ｓ２１７のＮｏ）は、主制御部２０は所定時間が経過するまで待機する。
【００５７】
所定時間が経過した場合（Ｓ２１７のＹｅｓ）は、主制御部２０は、明るさ設定情報３０に基づいて、ディスプレイ１３の明るさを調整する（Ｓ２１９）。すなわち、明るさ設定情報３０Ａにおいて「スクロール開始時」に「明るさ３→明るさ２→明るさ１」の明るさに調整するよう設定されているので、明るさ３に設定してから所定時間が経過した際に、ディスプレイ１３の明るさを明るさ２に設定する。
【００５８】
また同様に、明るさ設定情報３０において「Ｗｅｂ閲覧開始時」に「明るさ３→明るさ２→明るさ１」の明るさに調整するよう設定されているので、明るさ２に設定してから所定時間が経過した際に、ディスプレイ１３の明るさを明るさ１に設定する。また、明るさ設定情報３０Ａにおいて「スクロール時」に「明るさ１」の明るさに調整するよう設定されているので、ディスプレイ１３の明るさが明るさ１に設定された後、ディスプレイ１３の明るさを明るさ１で継続する。
【００５９】
このようにして携帯電話機１は、Ｗｅｂ閲覧やメール閲覧を行う際に、Ｗｅｂブラウザが起動されたことに基づいてディスプレイ１３の明るさを調整して、ディスプレイ１３の明るさを全点灯から微灯に段階的に切り替えていき、所定キーが押下されたことに基づいてディスプレイ１３の表示画面の自動スクロールを開始して、ディスプレイ１３の明るさを全点灯から微灯に段階的に切り替えていく。これにより、Ｗｅｂ閲覧時やメール閲覧時に、ユーザが操作キー１５を用いて何度もスクロールを指示することによりディスプレイ１３の明るさが頻繁に最も明るい状態に設定されることが回避され、ディスプレイ１３の微灯状態を保つことが可能となる。
【００６０】
第２実施形態によると、有機ＥＬパネルをディスプレイ１３として用いるとともに、Ｗｅｂ閲覧やメール閲覧の際にディスプレイ１３の明るさを調整することにより、この有機ＥＬパネルの劣化を軽減することが可能となる。
【００６１】
また、第２実施形態によると、有機ＥＬパネルをディスプレイ１３として用いるとともに、Ｗｅｂ閲覧やメール閲覧の際にディスプレイ１３の表示画面を自動スクロールさせて、この有機ＥＬパネルを満遍なく劣化されることにより、有機ＥＬパネルによる表示画面にムラが発生するのを防止することが可能となる。
【００６２】
〔第３実施形態〕
本発明に係る携帯電話機の第３実施形態について、図９及び図１０を参照しながら説明する。第３実施形態の携帯電話機は、図１及び図２に示すように、第１実施形態の携帯電話機１と同一の構成を備えている。また第３実施形態の携帯電話機１は、図４に示すように、主制御部２０、電源回路部２１、操作入力制御部２２、表示制御部２３、音声制御部２４、通信制御部２５、及び記憶部２６がバスによって相互に通信可能に接続されて構成されている。
【００６３】
第３実施形態の記憶部２６は、第１実施形態と同様に、ディスプレイ１３の明るさを調整するための明るさ設定情報３０Ｂを記憶している。明るさ設定情報３０Ｂは、図９（Ａ）に示すように、状態情報３１の「Ｗｅｂ閲覧開始時」に対して、明るさ情報３２の「明るさ３→明るさ２→明るさ１」が対応付けられている。これは、Ｗｅｂ閲覧の開始時（Ｗｅｂブラウザの起動時）に、所定時間の経過ごとにディスプレイ１３の明るさを、明るさ３、明るさ２、明るさ１の順に切り替えることを意味する。また、状態情報３１の「Ｗｅｂ閲覧中所定キー押下時」に対して、明るさ情報３２の「明るさ１」が対応付けられている。これは、Ｗｅｂ閲覧中に所定の操作キー１５（例えば下キー等）が押下されたときに、ディスプレイ１３の明るさを明るさ１（微灯）に設定することを意味する。同様に、状態情報３１の「スクロール開始時」に明るさ情報３２の「明るさ１」が、状態情報３１の「スクロール時」に明るさ情報３２の「明るさ１」が、状態情報３１の「スクロール終了時」に明るさ情報３２の「明るさ１」がそれぞれ対応付けられている。
【００６４】
また第３実施形態の記憶部２６は、自動スクロールを行うためのスクロール設定情報３３Ｂを記憶している。スクロール設定情報３３Ｂは、例えば図９（Ｂ）によると、状態情報３４の「Ｗｅｂ閲覧開始時」に対して、スクロール情報３５の「ＯＦＦ」が対応付けられている。これは、Ｗｅｂ閲覧の開始時（Ｗｅｂブラウザの起動時）に、表示画面の自動スクロールを行わないことを意味する。また、状態情報３４の「Ｗｅｂ閲覧中所定キー押下時」に対して、スクロール情報３５の「開始」、スクロール速度情報３６の「中速」がそれぞれ対応付けられている。これは、Ｗｅｂ閲覧中に所定の操作キー１５が押下されたときに、表示画面の自動スクロールを中速で開始することを意味する。
【００６５】
第３実施形態の携帯電話機１が、明るさ設定情報３０Ｂやスクロール設定情報３３Ｂを用いて、Ｗｅｂ閲覧時やメール閲覧時等に明るさ調整処理を行う手順について、図１０に示すフローチャートに基づいて説明する。ここでは、ユーザによりＷｅｂ閲覧が指示された場合について説明する。
【００６６】
ユーザは、Ｗｅｂ閲覧を行う際に、操作キー１５を用いて携帯電話機１にＷｅｂブラウザを起動するように指示を出す。主制御部２０は、Ｗｅｂブラウザが起動されたか否かを判断する（Ｓ３０１）。Ｗｅｂブラウザが起動されていない場合（Ｓ３０１のＮｏ）は、主制御部２０はそのまま待機する。Ｗｅｂブラウザが起動された場合（Ｓ３０１のＹｅｓ）は、主制御部２０は、明るさ設定情報３０Ｂに基づいて、ディスプレイ１３の明るさを明るさ３（全点灯）に設定する（Ｓ３０３）。すなわち、明るさ設定情報３０Ｂにおいて「Ｗｅｂ閲覧開始時」に「明るさ３→明るさ２→明るさ１」の明るさに調整するよう設定されているので、Ｗｅｂブラウザが起動された際に、ディスプレイ１３の明るさを明るさ３に設定する。
【００６７】
主制御部２０は、ディスプレイ１３にＷｅｂページを表示する（Ｓ３０５）。このＷｅｂページは、予め設定されたＷｅｂサイトやユーザにより指定されたＷｅｂサイトである。また、スクロール設定情報３３Ｂによると、「Ｗｅｂ閲覧開始時」の自動スクロールが「ＯＦＦ」に設定されていることに基づいて、主制御部２０はＷｅｂページを表示した際に、自動スクロールを開始しない。
【００６８】
主制御部２０は、Ｗｅｂブラウザが起動されてから所定時間（例えば５秒）が経過したか否かを判断する（Ｓ３０７）。この所定時間は、例えばユーザにより予め指定されて記憶部２６に記憶されている。所定時間が経過していない場合（Ｓ３０７のＮｏ）は、主制御部２０は所定時間が経過するまで待機する。
【００６９】
所定時間が経過した場合（Ｓ３０７のＹｅｓ）は、主制御部２０は、明るさ設定情報３０に基づいて、ディスプレイ１３の明るさを調整する（Ｓ３０９）。すなわち、明るさ設定情報３０Ｂにおいて「Ｗｅｂ閲覧開始時」に「明るさ３→明るさ２→明るさ１」の明るさに調整するよう設定されているので、明るさ３に設定してから所定時間が経過した際に、ディスプレイ１３の明るさを明るさ２に設定する。
【００７０】
また同様に、明るさ設定情報３０において「Ｗｅｂ閲覧開始時」に「明るさ３→明るさ２→明るさ１」の明るさに調整するよう設定されているので、明るさ２に設定してから所定時間が経過した際に、ディスプレイ１３の明るさを明るさ１に設定する。
【００７１】
ユーザは、ディスプレイ１３の表示画面を自動スクロールさせたい場合に、所定の操作キー１５を押下することにより、携帯電話機１に表示画面の自動スクロールを指示する。よって主制御部２０は、所定の操作キー１５が押下されたか否かを判断する（Ｓ３１１）。所定の操作キー１５が押下されていない場合（Ｓ３１１のＮｏ）は、主制御部２０はステップＳ３０７に戻ってディスプレイ１３の明るさを調整する。
【００７２】
所定の操作キー１５が押下された場合（Ｓ３１１のＹｅｓ）は、主制御部２０は、明るさ設定情報３０Ｂに基づいて、ディスプレイ１３の明るさを明るさ１に設定する（Ｓ３１３）。すなわち、明るさ設定情報３０Ｂにおいて「スクロール開始時」に「明るさ１」の明るさに調整するよう設定されているので、自動スクロールが開始された際に、ディスプレイ１３の明るさを明るさ１に設定する。そして主制御部２０は、ディスプレイ１３の表示画面の自動スクロールを開始する（Ｓ３１５）。
【００７３】
このようにして携帯電話機１は、Ｗｅｂ閲覧やメール閲覧を行う際に、Ｗｅｂブラウザが起動されたことに基づいてディスプレイ１３の明るさを調整して、ディスプレイ１３の明るさを全点灯から微灯に段階的に切り替えていくとともに、所定キーが押下されたことに基づいてディスプレイ１３の表示画面の自動スクロールを開始して、このときにディスプレイ１３の明るさを微灯のままで自動スクロールさせる。これにより、Ｗｅｂ閲覧時やメール閲覧時に、ユーザが操作キー１５を用いて何度もスクロールを指示することによりディスプレイ１３の明るさが頻繁に最も明るい状態に設定されることが回避され、ディスプレイ１３の微灯状態を保つことが可能となる。
【００７４】
第３実施形態によると、有機ＥＬパネルをディスプレイ１３として用いるとともに、Ｗｅｂ閲覧やメール閲覧の際にディスプレイ１３の明るさを調整することにより、この有機ＥＬパネルの劣化を軽減することが可能となる。
【００７５】
また、第３実施形態によると、有機ＥＬパネルをディスプレイ１３として用いるとともに、Ｗｅｂ閲覧やメール閲覧の際にディスプレイ１３の表示画面を自動スクロールさせて、この有機ＥＬパネルを満遍なく劣化されることにより、有機ＥＬパネルによる表示画面にムラが発生するのを防止することが可能となる。
【００７６】
〔第４実施形態〕
本発明に係る携帯電話機の第４実施形態について、図１１及び図１２を参照しながら説明する。第４実施形態の携帯電話機は、図１及び図２に示すように、第１実施形態の携帯電話機１と同一の構成を備えている。また第４実施形態の携帯電話機１は、図４に示すように、主制御部２０、電源回路部２１、操作入力制御部２２、表示制御部２３、音声制御部２４、通信制御部２５、及び記憶部２６がバスによって相互に通信可能に接続されて構成されている。
【００７７】
第４実施形態の記憶部２６は、第１実施形態と同様に、ディスプレイ１３の明るさを調整するための明るさ設定情報３０Ｃを記憶している。明るさ設定情報３０Ｃは、図１１（Ａ）に示すように、状態情報３１の「Ｗｅｂ閲覧開始時」に対して、明るさ情報３２の「明るさ３→明るさ２→明るさ１」が対応付けられている。これは、Ｗｅｂ閲覧の開始時（Ｗｅｂブラウザの起動時）に、所定時間の経過ごとにディスプレイ１３の明るさを、明るさ３、明るさ２、明るさ１の順に切り替えることを意味する。また、状態情報３１の「Ｗｅｂ閲覧中所定キー押下時」に対して、明るさ情報３２の「明るさ１」が対応付けられている。これは、Ｗｅｂ閲覧中に所定の操作キー１５（例えば下キー等）が押下されたときに、ディスプレイ１３の明るさを明るさ１（微灯）に設定することを意味する。同様に、状態情報３１の「スクロール開始時」に明るさ情報３２の「明るさ１→明るさ２→明るさ３」が、状態情報３１の「スクロール時」に明るさ情報３２の「明るさ１」が、状態情報３１の「スクロール終了時」に明るさ情報３２の「明るさ１→明るさ２→明るさ３」がそれぞれ対応付けられている。
【００７８】
また第４実施形態の記憶部２６は、自動スクロールを行うためのスクロール設定情報３３Ｃを記憶している。スクロール設定情報３３Ｃは、例えば図１１（Ｂ）によると、状態情報３４の「Ｗｅｂ閲覧開始時」に対して、スクロール情報３５の「開始」、スクロール速度情報３６の「中速」がそれぞれ対応付けられている。これは、Ｗｅｂ閲覧の開始時（Ｗｅｂブラウザの起動時）に、表示画面の自動スクロールを中速で開始することを意味する。また、状態情報３４の「Ｗｅｂ閲覧中所定キー押下時」に対して、スクロール情報３５の「停止」が対応付けられている。これは、Ｗｅｂ閲覧中に所定の操作キー１５が押下されたときに、表示画面の自動スクロールを停止することを意味する。
【００７９】
第４実施形態の携帯電話機１が、明るさ設定情報３０Ｃやスクロール設定情報３３Ｃを用いて、Ｗｅｂ閲覧時やメール閲覧時等に明るさ調整処理を行う手順について、図１２に示すフローチャートに基づいて説明する。ここでは、ユーザによりＷｅｂ閲覧が指示され、場合について説明する。
【００８０】
ユーザは、Ｗｅｂ閲覧を行う際に、操作キー１５を用いて携帯電話機１にＷｅｂブラウザを起動するように指示を出す。主制御部２０は、Ｗｅｂブラウザが起動されたか否かを判断する（Ｓ４０１）。Ｗｅｂブラウザが起動されていない場合（Ｓ４０１のＮｏ）は、主制御部２０はそのまま待機する。Ｗｅｂブラウザが起動された場合（Ｓ４０１のＹｅｓ）は、主制御部２０は、明るさ設定情報３０Ｃに基づいて、ディスプレイ１３の明るさを明るさ３（全点灯）に設定する（Ｓ４０３）。すなわち、明るさ設定情報３０Ｃにおいて「Ｗｅｂ閲覧開始時」に「明るさ３→明るさ２→明るさ１」の明るさに調整するよう設定されているので、Ｗｅｂブラウザが起動された際に、ディスプレイ１３の明るさを明るさ３に設定する。
【００８１】
主制御部２０は、ディスプレイ１３にＷｅｂページを表示する（Ｓ４０５）。このＷｅｂページは、予め設定されたＷｅｂサイトやユーザにより指定されたＷｅｂサイトである。そして主制御部２０は、スクロール設定情報３３Ｃに基づいて、表示画面の自動スクロールを開始する（Ｓ４０７）。すなわち、スクロール設定情報３３Ｃにおいて「Ｗｅｂ閲覧開始時」に自動スクロールが「開始」に設定されているので、Ｗｅｂブラウザが起動された際に、表示画面の自動スクロールを開始する。
【００８２】
主制御部２０は、Ｗｅｂブラウザが起動されてから所定時間（例えば５秒）が経過したか否かを判断する（Ｓ４０９）。この所定時間は、例えばユーザにより予め指定されて記憶部２６に記憶されている。所定時間が経過していない場合（Ｓ４０９のＮｏ）は、主制御部２０は所定時間が経過するまで待機する。
【００８３】
所定時間が経過した場合（Ｓ４０９のＹｅｓ）は、主制御部２０は、明るさ設定情報３０Ｃに基づいて、ディスプレイ１３の明るさを調整する（Ｓ４１１）。すなわち、明るさ設定情報３０Ｃにおいて「Ｗｅｂ閲覧開始時」に「明るさ３→明るさ２→明るさ１」の明るさに調整するよう設定されているので、明るさ３に設定してから所定時間が経過した際に、ディスプレイ１３の明るさを明るさ２に設定する。
【００８４】
また同様に、明るさ設定情報３０Ｃにおいて「Ｗｅｂ閲覧開始時」に「明るさ３→明るさ２→明るさ１」の明るさに調整するよう設定されているので、明るさ２に設定してから所定時間が経過した際に、ディスプレイ１３の明るさを明るさ１に設定する。
【００８５】
スクロール設定情報３３Ｃによると、「Ｗｅｂ閲覧中所定キー押下時」に「停止」が設定されているので、ユーザは、ステップＳ４０７にて開始された表示画面の自動スクロールを停止させたい場合に、所定の操作キー１５を押下することによって表示画面の自動スクロールを停止させる。よって主制御部２０は、所定の操作キー１５が押されたか否かを判断する（Ｓ４１３）。所定の操作キー１５が押されていない場合（Ｓ４１３のＮｏ）は、主制御部２０はステップＳ４０９に戻ってディスプレイ１３の明るさを調整する。
【００８６】
所定の操作キー１５が押された場合（Ｓ４１３のＹｅｓ）は、主制御部２０は、明るさ設定情報３０Ｃに基づいて、ディスプレイ１３の明るさを明るさ３（全点灯）に設定する（Ｓ４１５）。すなわち、明るさ設定情報３０Ｃにおいて「スクロール終了時」に「明るさ３→明るさ２→明るさ１」の明るさに調整するよう設定されているので、自動スクロールが停止された際に、ディスプレイ１３の明るさを明るさ３に設定する。また主制御部２０は、ステップＳ４０７にて開始された表示画面の自動スクロールを停止する（Ｓ４１７）。
【００８７】
主制御部２０は、自動スクロールが停止されてから所定時間が経過したか否かを判断する（Ｓ４１９）。この所定時間は、例えばユーザにより予め指定されて記憶部２６に記憶されている。所定時間が経過していない場合（Ｓ４１９のＮｏ）は、主制御部２０は所定時間が経過するまで待機する。
【００８８】
所定時間が経過した場合（Ｓ４１９のＹｅｓ）は、主制御部２０は、明るさ設定情報３０Ｃに基づいて、ディスプレイ１３の明るさを調整する（Ｓ４２１）。すなわち、明るさ設定情報３０Ｃにおいて「スクロール終了時」に「明るさ３→明るさ２→明るさ１」の明るさに調整するよう設定されているので、明るさ３に設定してから所定時間が経過した際に、ディスプレイ１３の明るさを明るさ２に設定する。
【００８９】
また同様に、明るさ設定情報３０Ｃにおいて「Ｗｅｂ閲覧開始時」に「明るさ３→明るさ２→明るさ１」の明るさに調整するよう設定されているので、明るさ２に設定してから所定時間が経過した際に、ディスプレイ１３の明るさを明るさ１に設定する。
【００９０】
このようにして携帯電話機１は、Ｗｅｂ閲覧やメール閲覧を行う際に、Ｗｅｂブラウザが起動されたことに基づいてディスプレイ１３の明るさを調整して、ディスプレイ１３の明るさを全点灯から微灯に段階的に切り替えていくとともに、Ｗｅｂブラウザが起動されたことに基づいて自動スクロールを開始し、また、所定キーが押下されたことに基づいてディスプレイ１３の表示画面の自動スクロールを停止して、このときにディスプレイ１３の明るさを調整して、ディスプレイ１３の明るさを全点灯から微灯に段階的に切り替えていく。これにより、Ｗｅｂ閲覧時やメール閲覧時に、ユーザが操作キー１５を用いて何度もスクロールを指示することによりディスプレイ１３の明るさが頻繁に最も明るい状態に設定されることが回避され、ディスプレイ１３の微灯状態を保つことが可能となる。
【００９１】
第４実施形態によると、有機ＥＬパネルをディスプレイ１３として用いるとともに、Ｗｅｂ閲覧やメール閲覧の際にディスプレイ１３の明るさを調整することにより、この有機ＥＬパネルの劣化を軽減することが可能となる。
【００９２】
また、第４実施形態によると、有機ＥＬパネルをディスプレイ１３として用いるとともに、Ｗｅｂ閲覧やメール閲覧の際にディスプレイ１３の表示画面を自動スクロールさせて、この有機ＥＬパネルを満遍なく劣化されることにより、有機ＥＬパネルによる表示画面にムラが発生するのを防止することが可能となる。
【００９３】
〔第５実施形態〕
本発明に係る携帯電話機の第５実施形態について、図１３及び図１４を参照しながら説明する。第５実施形態の携帯電話機は、図１及び図２に示すように、第１実施形態の携帯電話機１と同一の構成を備えている。また第５実施形態の携帯電話機１は、図４に示すように、主制御部２０、電源回路部２１、操作入力制御部２２、表示制御部２３、音声制御部２４、通信制御部２５、及び記憶部２６がバスによって相互に通信可能に接続されて構成されている。
【００９４】
第５実施形態の記憶部２６は、第１実施形態と同様に、ディスプレイ１３の明るさを調整するための明るさ設定情報３０Ｄを記憶している。明るさ設定情報３Ｄは、図１３（Ａ）に示すように、状態情報３１の「Ｗｅｂ閲覧開始時」に対して、明るさ情報３２の「明るさ３→明るさ２→明るさ１」が対応付けられている。これは、Ｗｅｂ閲覧の開始時（Ｗｅｂブラウザの起動時）に、所定時間の経過ごとにディスプレイ１３の明るさを、明るさ３、明るさ２、明るさ１の順に切り替えることを意味する。また、状態情報３１の「Ｗｅｂ閲覧中所定キー押下時」に対して、明るさ情報３２の「明るさ１」が対応付けられている。これは、Ｗｅｂ閲覧中に所定の操作キー１５（例えば下キー等）が押下されたときに、ディスプレイ１３の明るさを明るさ１（微灯）に設定することを意味する。同様に、状態情報３１の「スクロール開始時」に明るさ情報３２の「明るさ１→明るさ２→明るさ３」が、状態情報３１の「スクロール時」に明るさ情報３２の「明るさ１」が、状態情報３１の「スクロール終了時」に明るさ情報３２の「明るさ１」がそれぞれ対応付けられている。
【００９５】
また第５実施形態の記憶部２６は、自動スクロールを行うためのスクロール設定情報３３Ｄを記憶している。スクロール設定情報３３Ｄは、例えば図１３（Ｂ）によると、状態情報３４の「Ｗｅｂ閲覧開始時」に対して、スクロール情報３５の「開始」、スクロール速度情報３６の「中速」がそれぞれ対応付けられている。これは、Ｗｅｂ閲覧の開始時（Ｗｅｂブラウザの起動時）に、表示画面の自動スクロールを中速で開始することを意味する。また、状態情報３４の「Ｗｅｂ閲覧中所定キー押下時」に対して、スクロール情報３５の「停止」が対応付けられている。これは、Ｗｅｂ閲覧中に所定の操作キー１５が押下されたときに、表示画面の自動スクロールを停止することを意味する。
【００９６】
第５実施形態の携帯電話機１が、明るさ設定情報３０Ｄやスクロール設定情報３３Ｄを用いて、Ｗｅｂ閲覧時やメール閲覧時等に明るさ調整処理を行う手順について、図１４に示すフローチャートに基づいて説明する。ここでは、ユーザによりＷｅｂ閲覧が指示され、場合について説明する。
【００９７】
ユーザは、Ｗｅｂ閲覧を行う際に、操作キー１５を用いて携帯電話機１にＷｅｂブラウザを起動するように指示を出す。主制御部２０は、Ｗｅｂブラウザが起動されたか否かを判断する（Ｓ５０１）。Ｗｅｂブラウザが起動されていない場合（Ｓ５０１のＮｏ）は、主制御部２０はそのまま待機する。Ｗｅｂブラウザが起動された場合（Ｓ５０１のＹｅｓ）は、主制御部２０は、明るさ設定情報３０Ｄに基づいて、ディスプレイ１３の明るさを明るさ３（全点灯）に設定する（Ｓ５０３）。すなわち、明るさ設定情報３０Ｄにおいて「Ｗｅｂ閲覧開始時」に「明るさ３→明るさ２→明るさ１」の明るさに調整するよう設定されているので、Ｗｅｂブラウザが起動された際に、ディスプレイ１３の明るさを明るさ３に設定する。
【００９８】
主制御部２０は、ディスプレイ１３にＷｅｂページを表示する（Ｓ５０５）。このＷｅｂページは、予め設定されたＷｅｂサイトやユーザにより指定されたＷｅｂサイトである。そして主制御部２０は、スクロール設定情報３３Ｄに基づいて、表示画面の自動スクロールを開始する（Ｓ５０７）。すなわち、スクロール設定情報３３Ｄにおいて「Ｗｅｂ閲覧開始時」に自動スクロールが「開始」に設定されているので、Ｗｅｂブラウザが起動された際に、表示画面の自動スクロールを開始する。
【００９９】
主制御部２０は、Ｗｅｂブラウザが起動されてから所定時間（例えば５秒）が経過したか否かを判断する（Ｓ５０９）。この所定時間は、例えばユーザにより予め指定されて記憶部２６に記憶されている。所定時間が経過していない場合（Ｓ５０９のＮｏ）は、主制御部２０は所定時間が経過するまで待機する。
【０１００】
所定時間が経過した場合（Ｓ５０９のＹｅｓ）は、主制御部２０は、明るさ設定情報３０Ｄに基づいて、ディスプレイ１３の明るさを調整する（Ｓ５１１）。すなわち、明るさ設定情報３０Ｄにおいて「Ｗｅｂ閲覧開始時」に「明るさ３→明るさ２→明るさ１」の明るさに調整するよう設定されているので、明るさ３に設定してから所定時間が経過した際に、ディスプレイ１３の明るさを明るさ２に設定する。
【０１０１】
また同様に、明るさ設定情報３０Ｄにおいて「Ｗｅｂ閲覧開始時」に「明るさ３→明るさ２→明るさ１」の明るさに調整するよう設定されているので、明るさ２に設定してから所定時間が経過した際に、ディスプレイ１３の明るさを明るさ１に設定する。
【０１０２】
スクロール設定情報３３Ｄによると、「Ｗｅｂ閲覧中所定キー押下時」に「停止」が設定されているので、ユーザは、ステップＳ５０７にて開始された表示画面の自動スクロールを停止させたい場合に、所定の操作キー１５を押下することによって表示画面の自動スクロールを停止させる。よって主制御部２０は、所定の操作キー１５が押されたか否かを判断する（Ｓ５１３）。所定の操作キー１５が押されていない場合（Ｓ５１３のＮｏ）は、主制御部２０はステップＳ５０９に戻ってディスプレイ１３の明るさを調整する。
【０１０３】
所定の操作キー１５が押された場合（Ｓ５１３のＹｅｓ）は、主制御部２０は、明るさ設定情報３０Ｄに基づいて、ディスプレイ１３の明るさを明るさ１（微灯）に設定する（Ｓ５１５）。すなわち、明るさ設定情報３０Ｄにおいて「スクロール終了時」に「明るさ１」の明るさに調整するよう設定されているので、自動スクロールが停止された際に、ディスプレイ１３の明るさを明るさ１に設定する。また主制御部２０は、ステップＳ５０７にて開始された表示画面の自動スクロールを停止する（Ｓ５１７）。
【０１０４】
このようにして携帯電話機１は、Ｗｅｂ閲覧やメール閲覧を行う際に、Ｗｅｂブラウザが起動されたことに基づいてディスプレイ１３の明るさを調整して、ディスプレイ１３の明るさを全点灯から微灯に段階的に切り替えていくとともに、Ｗｅｂブラウザが起動されたことに基づいて自動スクロールを開始し、また、所定キーが押下されたことに基づいてディスプレイ１３の表示画面の自動スクロールを停止して、このときにディスプレイ１３の明るさを微灯のままの状態にする。これにより、Ｗｅｂ閲覧時やメール閲覧時に、ユーザが操作キー１５を用いて何度もスクロールを指示することによりディスプレイ１３の明るさが頻繁に最も明るい状態に設定されることが回避され、ディスプレイ１３の微灯状態を保つことが可能となる。
【０１０５】
第５実施形態によると、有機ＥＬパネルをディスプレイ１３として用いるとともに、Ｗｅｂ閲覧やメール閲覧の際にディスプレイ１３の明るさを調整することにより、この有機ＥＬパネルの劣化を軽減することが可能となる。
【０１０６】
また、第５実施形態によると、有機ＥＬパネルをディスプレイ１３として用いるとともに、Ｗｅｂ閲覧やメール閲覧の際にディスプレイ１３の表示画面を自動スクロールさせて、この有機ＥＬパネルを満遍なく劣化されることにより、有機ＥＬパネルによる表示画面にムラが発生するのを防止することが可能となる。
【０１０７】
なお、第２実施形態及び第３実施形態においてディスプレイ１３の表示画面の自動スクロールを開始するための操作キー１５、及び第４実施形態及び第５実施形態においてディスプレイ１３の表示画面の自動スクロールを停止するための操作キー１５は、同一の操作キー１５であっても、別々の操作キー１５であっても良い。
【０１０８】
また、第２実施形態及び第３実施形態において、ディスプレイ１３の表示画面の自動スクロールは上方向であっても下方向であっても良く、スクロールの方向は任意で良い。さらに、第４実施形態及び第５実施形態において、所定の操作キー１５の押下に基づいて自動スクロールを停止させる例について説明したが、これに限定されず、所定の操作キー１５の押下に基づいてスクロールの方向を切り替えるようにしても良い。
【０１０９】
本発明の説明として、携帯電話機１について説明したが、これに限らず、ＰＨＳ（Ｐｅｒｓｏｎａｌ  Ｈａｎｄｙｐｈｏｎｅ  Ｓｙｓｔｅｍ）、ＰＤＡ（Ｐｅｒｓｏｎａｌ  Ｄｉｇｉｔａｌ  Ａｓｓｉｓｔａｎｔｓ）、デジタルカメラ、ビデオカメラ、携帯オーディオ機器、携帯ビデオ機器等、ディスプレイを備えた電子機器であれば、任意の電子機器であって良い。
【図面の簡単な説明】
【０１１０】
【図１】（Ａ）は、本発明に係る携帯電話機の開いた状態を示す正面図、（Ｂ）は、本発明に係る携帯電話機の開いた状態を示す側面図。
【図２】（Ａ）は、本発明に係る携帯電話機の閉じた状態を示す正面図、（Ｂ）は、本発明に係る携帯電話機の閉じた状態を示す側面図。
【図３】本発明に係る携帯電話機の機能ブロック図。
【図４】（Ａ）は、第１実施形態の明るさ設定情報のデータ構成図、（Ｂ）は、第１実施形態のスクロール設定情報のデータ構成図。
【図５】（Ａ）は、明るさ設定画面を示す画面図、（Ｂ）は、スクロール設定画面を示す画面図。
【図６】本発明に係る携帯電話機の第１実施形態において明るさ調整処理を行う際の手順を示すフローチャート。
【図７】（Ａ）は、第２実施形態の明るさ設定情報のデータ構成図、（Ｂ）は、第２実施形態のスクロール設定情報のデータ構成図。
【図８】本発明に係る携帯電話機の第２実施形態において明るさ調整処理を行う際の手順を示すフローチャート。
【図９】（Ａ）は、第３実施形態の明るさ設定情報のデータ構成図、（Ｂ）は、第３実施形態のスクロール設定情報のデータ構成図。
【図１０】本発明に係る携帯電話機の第３実施形態において明るさ調整処理を行う際の手順を示すフローチャート。
【図１１】（Ａ）は、第４実施形態の明るさ設定情報のデータ構成図、（Ｂ）は、第４実施形態のスクロール設定情報のデータ構成図。
【図１２】本発明に係る携帯電話機の第４実施形態において明るさ調整処理を行う際の手順を示すフローチャート。
【図１３】（Ａ）は、第５実施形態の明るさ設定情報のデータ構成図、（Ｂ）は、第５実施形態のスクロール設定情報のデータ構成図。
【図１４】本発明に係る携帯電話機の第５実施形態において明るさ調整処理を行う際の手順を示すフローチャート。
【符号の説明】
【０１１１】
１…携帯電話機，１０…上筐体，１１…下筐体，１２…ヒンジ部，１３…ディスプレイ，１４…スピーカ，１５…操作キー，１６…マイクロフォン，２０…主制御部，２１…電源回路部，２２…操作入力制御部，２３…表示制御部，２４…音声制御部，２５…通信制御部，２５ａ…アンテナ，２６…記憶部，３０、３０Ａ乃至３０Ｄ…明るさ設定情報，３３、３３Ａ乃至３３Ｄ…スクロール設定情報，４０…明るさ設定画面，４３…スクロール設定画面。
【図１】
0005029399.tif 000002
【図２】
0005029399.tif 000003
【図３】
0005029399.tif 000004
【図４】
0005029399.tif 000005
【図５】
0005029399.tif 000006
【図６】
0005029399.tif 000007
【図７】
0005029399.tif 000008
【図８】
0005029399.tif 000009
【図９】
0005029399.tif 000010
【図１０】
0005029399.tif 000011
【図１１】
0005029399.tif 000012
【図１２】
0005029399.tif 000013
【図１３】
0005029399.tif 000014
【図１４】
0005029399.tif 000015